(57)【要約】【課題】携帯電話端末の利用者Ａが、携帯電話端末の利用者Ｂと遭遇したが、利用者Ｂの名前を思い出せないとき、利用者Ｂに名前を聞かなくても、利用者Ｂの名前が分かるようにする。【解決手段】近距離無線通信によって携帯電話端末１００から携帯電話端末２００に、利用者Ａの携帯電話番号を送信する。携帯電話端末２００は、その携帯電話番号が自端末の電話帳に登録されているときには、自端末に設定されている利用者Ｂの個人情報の全て、または利用者Ｂの携帯電話番号を、携帯電話端末１００に送信する。携帯電話端末１００は、携帯電話端末２００から利用者Ｂの名前が送信されたときには、その名前を表示し、携帯電話端末２００から利用者Ｂの携帯電話番号しか送信されなかったときには、その携帯電話番号をもとに自端末の電話帳から利用者Ｂの名前を読み出して表示する。【選択図】図１
2010166223.tif 000002
【特許請求の範囲】
【請求項１】
近距離無線通信によって相互の間で直接、無線通信をすることが可能な第１および第２の携帯電話端末の間での、近距離無線通信による情報送受信方法として、
第１の携帯電話端末が、自端末に設定されている、自端末の利用者の携帯電話番号またはメールアドレスを、利用者識別情報として、第２の携帯電話端末に送信する第１工程と、
第２の携帯電話端末が、その利用者識別情報によって特定される利用者が自端末の電話帳に登録されているか否かを判断し、登録されているときには、自端末に設定されている、自端末の利用者の携帯電話番号またはメールアドレスを含む情報を、第１の携帯電話端末に送信する第２工程と、
第１の携帯電話端末が、その送信された情報をもとに、自端末の表示部に、第２の携帯電話端末の利用者の名前を表示する第３工程と、
を備える情報送受信方法。
【請求項２】
請求項１の情報送受信方法において、
上記第３工程では、第１の携帯電話端末は、第２の携帯電話端末から送信された携帯電話番号またはメールアドレスによって、自端末の電話帳から第２の携帯電話端末の利用者の名前を読み出して、自端末の表示部に表示する情報送受信方法。
【請求項３】
請求項１の情報送受信方法において、
上記第２工程では、第２の携帯電話端末は、自端末の利用者の携帯電話番号またはメールアドレスと共に、自端末の利用者の名前を含むプロフィール情報を、第１の携帯電話端末に送信する情報送受信方法。
【請求項４】
請求項１の情報送受信方法において、
上記第２工程では、第２の携帯電話端末は、上記利用者識別情報によって特定される利用者がランクが高い者として自端末の電話帳に登録されているときには、自端末の利用者の携帯電話番号またはメールアドレスと共に、自端末の利用者の名前を含むプロフィール情報を、第１の携帯電話端末に送信し、上記利用者識別情報によって特定される利用者がランクが低い者として自端末の電話帳に登録されているときには、自端末の利用者の携帯電話番号またはメールアドレスのみを、第１の携帯電話端末に送信する情報送受信方法。
【請求項５】
近距離無線通信によって他の携帯電話端末との間で直接、無線通信をする無線通信部と、表示部と、制御部とを備え、
上記制御部は、当該の携帯電話端末に設定されている、当該の携帯電話端末の利用者の携帯電話番号またはメールアドレスを、利用者識別情報として、上記無線通信部によって他の携帯電話端末に送信するとともに、これに応答して上記他の携帯電話端末から送信され、上記無線通信部によって受信した、上記他の携帯電話端末の利用者の携帯電話番号またはメールアドレスを含む情報をもとに、上記表示部に、上記他の携帯電話端末の利用者の名前を表示する携帯電話端末。
【発明の詳細な説明】
【技術分野】
【０００１】
この発明は、近距離無線通信機能を有する携帯電話端末、および、その携帯電話端末の間で近距離無線通信によって情報を送受信する方法に関する。
【背景技術】
【０００２】
携帯電話端末は、メモリの大容量化などによって、電話帳（アドレス帳）に、数１００人以上というような多くの人の、名前（氏名や通称）、携帯電話番号、メールアドレス、住所、誕生日など、多くの情報を登録できるようになっている。
【０００３】
さらに、特許文献１（特開２００６−２４６３７３号公報）には、Ｂｌｕｅｔｏｏｔｈ（登録商標）などによる近距離無線通信によって他の携帯電話端末から、その端末の利用者の上記のような情報を取得する際に、当該利用者の知人の情報を併せて取得し、登録することが示されている。
【先行技術文献】
【特許文献】
【０００４】
【特許文献１】特開２００６−２４６３７３号公報
【発明の概要】
【発明が解決しようとする課題】
【０００５】
しかし、或る利用者Ａが、自分の携帯電話端末に他の利用者Ｂの名前などを登録していても、利用者Ｂを知ったのが最近で、利用者Ｂとの関係がそれほど深くない、または利用者Ｂを知ったのがかなり前で、その後は利用者Ｂと会っていない、などのために、利用者Ｂと遭遇したとき、利用者Ｂの名前を思い出せないときがある。
【０００６】
そこで、この発明は、このような場合に相手に名前を聞かなくても相手の名前が分かるようにしたものである。
【課題を解決するための手段】
【０００７】
この発明の情報送受信方法は、
近距離無線通信によって相互の間で直接、無線通信をすることが可能な第１および第２の携帯電話端末の間での、近距離無線通信による情報送受信方法として、
第１の携帯電話端末が、自端末に設定されている、自端末の利用者の携帯電話番号またはメールアドレスを、利用者識別情報として第２の携帯電話端末に送信する第１工程と、
第２の携帯電話端末が、その利用者識別情報によって特定される利用者が自端末の電話帳に登録されているか否かを判断し、登録されているときには、自端末に設定されている、自端末の利用者の携帯電話番号またはメールアドレスを含む情報を、第１の携帯電話端末に送信する第２工程と、
第１の携帯電話端末が、その送信された情報をもとに、自端末の表示部に、第２の携帯電話端末の利用者の名前を表示する第３工程と、
を備えるものである。
【０００８】
上記の情報送受信方法では、第１の携帯電話端末の利用者Ａが、第２の携帯電話端末の利用者Ｂと遭遇したとき、第１の携帯電話端末で当該の情報送受信方法を実行させる操作をすることによって、第１の携帯電話端末の表示部に、第２の携帯電話端末の利用者Ｂの名前が表示される。
【０００９】
しかも、利用者Ｂの名前などが利用者Ａの携帯電話端末に表示されるのは、利用者Ｂも自分の携帯電話端末の電話帳に利用者Ａを登録しているときに限られるので、利用者Ｂの意思に反して利用者Ｂの名前などが利用者Ａの携帯電話端末に表示されることがなく、プライバシーなどの点で問題を生じない。
【発明の効果】
【００１０】
以上のように、この発明によれば、相手に名前を聞かなくても相手の名前が分かるようになる。
【図面の簡単な説明】
【００１１】
【図１】この発明のシステムの利用状況の一例を示す図である。
【図２】要求元の携帯電話端末の一例の接続構成を示す図である。
【図３】要求先の携帯電話端末の一例の接続構成を示す図である。
【図４】要求元の携帯電話端末に記録されている個人情報および電話帳情報の一例を示す図である。
【図５】要求先の携帯電話端末に記録されている個人情報および電話帳情報の一例を示す図である。
【図６】要求元および要求先の携帯電話端末の制御部が実行する一連の処理の一例の一部を示す図である。
【図７】要求元および要求先の携帯電話端末の制御部が実行する一連の処理の一例の一部を示す図である。
【図８】要求元および要求先の携帯電話端末の制御部が実行する一連の処理の一例の一部を示す図である。
【発明を実施するための形態】
【００１２】
［１．システム構成：図１〜図３］
図１は、この発明のシステムの利用状況の一例を示す。
【００１３】
この例は、携帯電話端末１００を携帯した利用者Ａが、携帯電話端末２００を携帯した利用者Ｂと遭遇し、携帯電話端末１００で後述のような操作をした場合である。
【００１４】
ここでは、利用者Ａの名前を「太郎」とし、利用者Ｂの名前を「次郎」とする。
【００１５】
携帯電話端末１００および２００は、共に、携帯電話の無線通信機能とは別に、例えばＢｌｕｅｔｏｏｔｈによる近距離無線通信機能を備えるものとする。
【００１６】
図２に、携帯電話端末１００の一例の接続構成を示す。携帯電話端末１００では、制御バス１１１およびデータバス１１３からなるシステムバスに対して、制御部１２１、メモリ１２３、操作部１２５および表示部１２７が接続される。
【００１７】
制御部１２１は、ＣＰＵを有するマイクロコンピュータとして構成される。そのマイクロコンピュータには、携帯電話端末１００での各種の処理を制御するためのソフトウエアプログラムが格納される。制御部１２１のＣＰＵは、そのソフトウエアプログラムに従って各種の制御処理を実行する。
【００１８】
メモリ１２３は、例えば、フラッシュメモリなどの半導体メモリからなる内蔵メモリである。メモリ１２３には、後述のように、利用者Ａの携帯電話番号およびメールアドレスを含む利用者Ａの個人情報、電話帳情報、動画や静止画のデータ、音楽や音声のデータ、電子メールのデータなどが格納される。
【００１９】
操作部１２５は、テンキーおよび選択決定キーなどの各種キーによって構成され、表示部１２７は、液晶ディスプレイや有機ＥＬディスプレイなどのディスプレイによって構成される。
【００２０】
なお、操作部１２５は、表示部１２７のディスプレイ上に設けられたタッチパネルとして構成されてもよい。
【００２１】
また、制御バス１１１およびデータバス１１３からなるシステムバスに対して、携帯電話の無線通信用の無線通信部１３１が接続され、無線通信部１３１に、携帯電話の無線通信用のアンテナ１３３が接続される。
【００２２】
また、制御バス１１１およびデータバス１１３からなるシステムバスに対して、音声処理部１４１が接続され、音声処理部１４１に、マイクロホン１４３およびスピーカ１４５が接続される。音声処理部１４１は、送受話音声信号や音楽データなどの音声信号を処理するものである。
【００２３】
さらに、制御バス１１１およびデータバス１１３からなるシステムバスに対して、Ｂｌｕｅｔｏｏｔｈによる近距離無線通信用の無線通信部１５１が接続され、無線通信部１５１に、近距離無線通信用のアンテナ１５３が接続される。
【００２４】
図３に、携帯電話端末２００の一例の接続構成を示す。携帯電話端末２００では、制御バス２１１およびデータバス２１３からなるシステムバスに対して、制御部２２１、メモリ２２３、操作部２２５および表示部２２７が接続される。
【００２５】
制御部２２１は、ＣＰＵを有するマイクロコンピュータとして構成される。そのマイクロコンピュータには、携帯電話端末２００での各種の処理を制御するためのソフトウエアプログラムが格納される。制御部２２１のＣＰＵは、そのソフトウエアプログラムに従って各種の制御処理を実行する。
【００２６】
メモリ２２３は、例えば、フラッシュメモリなどの半導体メモリからなる内蔵メモリである。メモリ２２３には、後述のように、利用者Ｂの携帯電話番号およびメールアドレスを含む利用者Ｂの個人情報、電話帳情報、動画や静止画のデータ、音楽や音声のデータ、電子メールのデータなどが格納される。
【００２７】
操作部２２５は、テンキーおよび選択決定キーなどの各種キーによって構成され、表示部２２７は、液晶ディスプレイや有機ＥＬディスプレイなどのディスプレイによって構成される。
【００２８】
なお、操作部２２５は、表示部２２７のディスプレイ上に設けられたタッチパネルとして構成されてもよい。
【００２９】
また、制御バス２１１およびデータバス２１３からなるシステムバスに対して、携帯電話の無線通信用の無線通信部２３１が接続され、無線通信部２３１に、携帯電話の無線通信用のアンテナ２３３が接続される。
【００３０】
また、制御バス２１１およびデータバス２１３からなるシステムバスに対して、音声処理部２４１が接続され、音声処理部２４１に、マイクロホン２４３およびスピーカ２４５が接続される。音声処理部２４１は、送受話音声信号や音楽データなどの音声信号を処理するものである。
【００３１】
さらに、制御バス２１１およびデータバス２１３からなるシステムバスに対して、Ｂｌｕｅｔｏｏｔｈによる近距離無線通信用の無線通信部２５１が接続され、無線通信部２５１に、近距離無線通信用のアンテナ２５３が接続される。
【００３２】
［２．情報送受信方法：図４〜図８］
（２−１．携帯電話端末に記録されている情報：図４および図５）
図４に、利用者Ａの携帯電話端末１００の図２に示したメモリ１２３に記録されている情報の一例を示す。
【００３３】
携帯電話端末１００には、利用者Ａの個人情報として、携帯電話番号、メールアドレスおよびプロフィール情報が記録されている。プロフィールとは、名前、住所、誕生日、所属（会社や学校など）などである。
【００３４】
また、携帯電話端末１００には、電話帳情報として、適宜の登録番号に対して利用者Ａが登録した、利用者Ａの友人や知人などの携帯電話番号を含む個人情報が記録されている。
【００３５】
例えば、３１１番として、利用者Ｂの名前（次郎）、携帯電話番号およびメールアドレスが記録されている。また、次郎（利用者Ｂ）に対しては、利用者Ａ（太郎）から見た親密度または信頼度のランクが、親密度または信頼度が高いランク１とされている。
【００３６】
図５に、利用者Ｂの携帯電話端末２００の図３に示したメモリ２２３に記録されている情報の一例を示す。
【００３７】
携帯電話端末２００には、利用者Ｂの個人情報として、携帯電話番号、メールアドレスおよびプロフィール情報が記録されている。プロフィールとは、名前、住所、誕生日、所属（会社や学校など）などである。
【００３８】
また、携帯電話端末２００には、電話帳情報として、適宜の登録番号に対して利用者Ｂが登録した、利用者Ｂの友人や知人などの携帯電話番号を含む個人情報が記録されている。
【００３９】
例えば、４３１番として、利用者Ａの名前（太郎）、携帯電話番号およびメールアドレスが記録されている。また、太郎（利用者Ａ）に対しては、利用者Ｂ（次郎）から見た親密度または信頼度のランクが、親密度または信頼度が低いランク２とされている。
【００４０】
（２−２．情報送受信に係る処理：図６〜図８）
利用者Ａの携帯電話端末１００に図４に示したように情報が記録され、利用者Ｂの携帯電話端末２００に図５に示したように情報が記録されている状態で、図１に示したように利用者Ａが利用者Ｂと遭遇した場合に、利用者Ａが利用者Ｂの名前を思い出せないときには、利用者Ａは、携帯電話端末１００の操作部１２５で情報取得表示のための所定の操作をすることによって、以下のように利用者Ｂの名前を知ることができる。
【００４１】
図６、図７および図８に、この場合に携帯電話端末１００の制御部１２１および携帯電話端末２００の制御部２２１が実行する一連の処理の一例を示す。
【００４２】
上記のように利用者Ａが情報取得表示のための所定の操作をすると、携帯電話端末１００の制御部１２１は、まずステップ１７１で、利用者識別情報としての利用者Ａの携帯電話番号、および自端末（携帯電話端末１００）の機器特定情報を、メモリ１２３から読み出して、近距離無線通信用の無線通信部１５１およびアンテナ１５３によって、携帯電話端末１００に対して限られた距離内に存在する携帯電話端末に対して送信する。
【００４３】
このとき、図１に示したように携帯電話端末２００が携帯電話端末１００に対して限られた距離内に存在すると、携帯電話端末２００の制御部２２１は、まずステップ２７１で、近距離無線通信用のアンテナ２５３および無線通信部２５１によって、その携帯電話端末１００から送信された情報を受信する。
【００４４】
携帯電話端末２００の制御部２２１は、次にステップ２７２で、その受信した携帯電話番号が自端末の電話帳に登録されているか否かを判断する。
【００４５】
そして、図５に示した場合とは異なり、受信した携帯電話番号、すなわち太郎（利用者Ａ）の携帯電話番号が、自端末の電話帳に登録されていないときには、携帯電話端末２００の制御部２２１は、ステップ２７２からステップ２７３に進んで、携帯電話端末１００との間の近距離無線通信を遮断して、一連の処理を終了する。
【００４６】
逆に、図５に示したように、受信した携帯電話番号、すなわち太郎（利用者Ａ）の携帯電話番号が、自端末の電話帳に登録されているときには、携帯電話端末２００の制御部２２１は、ステップ２７２からステップ２７４に進んで、当該の携帯電話番号の利用者、すなわち太郎（利用者Ａ）が、ランク１であるか否かを判断する。
【００４７】
そして、図５に示した場合とは異なり、太郎（利用者Ａ）がランク１であるときには、携帯電話端末２００の制御部２２１は、ステップ２７４からステップ２７５に進んで、自端末のメモリ２２３に設定されている利用者Ｂ（次郎）の個人情報の全てを、近距離無線通信用の無線通信部２５１およびアンテナ２５３によって送信する。
【００４８】
このとき、携帯電話端末２００の制御部２２１は、ステップ１７１で携帯電話端末１００から送信された機器特定情報を送信先の機器を特定する情報とするとともに、自端末の機器特定情報を利用者Ｂ（次郎）の個人情報と共に携帯電話端末１００に送信する。
【００４９】
逆に、図５に示したように、太郎（利用者Ａ）がランク２であるときには、携帯電話端末２００の制御部２２１は、ステップ２７４からステップ２７６に進んで、利用者Ｂ（次郎）の携帯電話番号のみを、近距離無線通信用の無線通信部２５１およびアンテナ２５３によって送信する。
【００５０】
このとき、携帯電話端末２００の制御部２２１は、ステップ１７１で携帯電話端末１００から送信された機器特定情報を送信先の機器を特定する情報とするとともに、自端末の機器特定情報を利用者Ｂ（次郎）の携帯電話番号と共に携帯電話端末１００に送信する。
【００５１】
携帯電話端末１００の制御部１２１は、ステップ１７１の後、ステップ１７５で、近距離無線通信用のアンテナ１５３および無線通信部１５１によって、ステップ２７５またはステップ２７６で携帯電話端末２００から送信された情報を受信する。
【００５２】
携帯電話端末１００の制御部１２１は、さらにステップ１７６で、その受信した情報が、利用者Ｂの個人情報の全てであるか、利用者Ｂの携帯電話番号のみであるかを判断する。
【００５３】
そして、受信した情報が利用者Ｂの個人情報の全てであるときには、携帯電話端末１００の制御部１２１は、ステップ１７６からステップ１７７に進んで、当該の受信した個人情報を表示部１２７に表示する。
【００５４】
すなわち、ステップ２７５で携帯電話端末２００から携帯電話端末１００に携帯電話端末２００のメモリ２２３に利用者Ｂの個人情報として記録されている情報の全てが送信されたときには、その全ての情報が携帯電話端末１００の表示部１２７に表示される。
【００５５】
したがって、このとき、利用者Ａは、利用者Ｂの名前が「次郎」であることだけでなく、自端末（携帯電話端末１００）の電話帳に登録していない、利用者Ｂ（次郎）の詳細なプロフィールを知ることができる。
【００５６】
ただし、携帯電話端末１００の電話帳に登録されている情報と携帯電話端末２００に設定されている情報とでは、同じ利用者Ｂの名前などが別個に表現されていることもある。
【００５７】
そのため、このとき、利用者Ｂの個人情報でも、携帯電話端末１００の電話帳に登録されている情報については、その電話帳に登録されている情報を表示し、携帯電話端末２００から送信された個人情報中の、携帯電話端末１００の電話帳に登録されていない情報については、携帯電話端末２００から送信された情報を表示するように、携帯電話端末１００および２００を構成してもよい。
【００５８】
一方、受信した情報が利用者Ｂの携帯電話番号のみであるときには、携帯電話端末１００の制御部１２１は、ステップ１７６からステップ１７８に進んで、利用者Ｂの携帯電話番号をもとに自端末の電話帳から利用者Ｂの個人情報を読み出して、表示部１２７に表示する。
【００５９】
したがって、このとき、利用者Ａは、利用者Ｂの名前を知ることができるとともに、自端末（携帯電話端末１００）の電話帳に利用者Ｂの名前以外のプロフィールも登録しているときには、そのプロフィールも知ることができる。
【００６０】
［３．他の実施形態または例］
上記の例は、携帯電話番号を利用者識別情報として、利用者Ａの携帯電話端末１００から利用者Ｂの携帯電話端末２００に利用者Ｂの個人情報の送信を要求するときには、利用者Ａの携帯電話番号を送信する場合であるが、現在のように多くの携帯電話端末が電子メール機能を有し、多くの人が携帯電話端末の電子メール機能を利用している状況下では、メールアドレスを利用者識別情報としてもよい。もちろん、携帯電話番号とメールアドレスの両者を利用者識別情報としてもよい。
【００６１】
また、上記の例は、親密度または信頼度のランクを２段階として、ランク１の相手方に対しては自端末の利用者の個人情報の全てを送信する場合であるが、例えば、親密度または信頼度のランクを３段階として、ランク１の相手方に対しては自端末の利用者の個人情報の全てを送信し、ランク２の相手方に対しては自端末の利用者の利用者識別情報（携帯電話番号またはメールアドレス）および名前を送信し、ランク３の相手方に対しては自端末の利用者の利用者識別情報のみを送信するように、システムを構成してもよい。
【００６２】
さらに、このようにランク分けすることなく、要求先の携帯電話端末は、要求元の携帯電話端末から送信された利用者識別情報（携帯電話番号またはメールアドレス）が自端末の電話帳に登録されているときには、自端末の利用者の利用者識別情報、または利用者識別情報および一定範囲のプロフィール情報を、一律に要求元の携帯電話端末に送信するように、システムを構成することもできる。
【符号の説明】
【００６３】
主要部については図中に記述したので、ここでは省略する。
【図１】
2010166223.tif 000003
【図２】
2010166223.tif 000004
【図３】
2010166223.tif 000005
【図４】
2010166223.tif 000006
【図５】
2010166223.tif 000007
【図６】
2010166223.tif 000008
【図７】
2010166223.tif 000009
【図８】
2010166223.tif 000010